(57)【特許請求の範囲】
【請求項１】
上側筐体と下側筐体とをヒンジ部で回動自在に結合した構造であり、不使用時は前記上側筐体と前記下側筐体の各内側表面が対向密接する閉状態とし、使用時は前記上側筐体と前記下側筐体を離間して前記下側筐体の内側表面に設けられた各種キーを使用可能とし、かつ、前記上側筐体の内側表面に設けられた表示部の表示を視認できる開状態とする折り畳み型携帯無線装置において、
前記上側筐体及び前記下側筐体のいずれか一方に設けられており、第１のネジが螺刻されている回転自在なダイヤルと、
前記ダイヤルの回転方向に応じて前記ヒンジ部方向又は前記ヒンジ部とは反対方向に直線移動し、かつ、前記ダイヤルの回転量に応じた移動量移動するシャフトを含む直線移動機構と、
前記ヒンジ部内に設けられており、前記直線移動機構の前記シャフトが前記ヒンジ部方向に直線移動した時は、回転軸を中心に第１の方向に回動し、前記シャフトが前記ヒンジ部とは反対方向に直線移動した時は、前記回転軸を中心に前記第１の方向とは反対方向である第２の方向に回動し、前記第１の方向又は第２の方向の回動に伴って前記上側筐体及び下側筐体の内の一方を、その内側表面が他方の筐体の内側表面と密接する閉状態又は両内側表面が互いに離間する開状態とする回転機構と
を有することを特徴とする折り畳み型携帯無線装置。
【請求項２】
前記直線移動機構は、中空円筒状の前記ダイヤルの内壁の表面に螺刻された前記第１のネジと、前記ダイヤルの内径よりも小径で、該ダイヤルの中空円筒部に貫通しており、かつ、外周表面に螺刻された第２のネジが前記第１のネジに螺合する前記シャフトとからなることを特徴とする請求項１記載の折り畳み型携帯無線装置。
【請求項３】
前記回転機構は、前記直線移動機構の前記シャフトの一端に結合されたアームと、前記上側筐体及び前記下側筐体のうち前記ダイヤルが設けられていない方の筐体の端部と一体的に移動するように結合されており、前記アームの移動方向に応じて前記ヒンジ部の回転軸を中心として、該ダイヤルが設けられていない方の筐体と共に回動する回転アームとからなることを特徴とする請求項１又は２記載の折り畳み型携帯無線装置。
【請求項４】
前記ダイヤルに対して、該ダイヤルが設けられている筐体の外側方向にバネ力を付勢しており、前記開状態及び閉状態の一方から他方に操作するときには、前記バネ力に抗して前記ダイヤルを該ダイヤルが設けられている筐体の内側方向に押すことにより前記ダイヤルと前記直線移動機構とを機械的接続状態とし、該ダイヤルに対する前記筐体の内側方向への力の付勢を解除したときは、前記ダイヤルと前記直線移動機構との機械的接続解除状態に自動復帰させるバネを更に有することを特徴とする請求項１記載の折り畳み型携帯無線装置。
【請求項５】
前記ダイヤルは、前記下側筐体又は前記上側筐体の一方の側面に設けられていることを特徴とする請求項１記載の折り畳み型携帯無線装置。
【請求項６】
前記ダイヤルは、前記下側筐体又は前記上側筐体の両側面に設けられていることを特徴とする請求項４記載の折り畳み型携帯無線装置。
【発明の詳細な説明】
【０００１】
【発明の属する技術分野】
本発明は折り畳み型携帯無線装置に係り、特に上側筐体と下側筐体とをヒンジ部で回動自在に結合した折り畳み型携帯電話機などの折り畳み型携帯無線装置に関する。
【０００２】
【従来の技術】
折り畳み型携帯無線装置の一例である従来の折り畳み型携帯電話機は、上側筐体と下側筐体とをヒンジ部で回動自在に結合した構造であり、不使用時は上側筐体と下側筐体の各内側表面を対向密接する折り畳み状態（閉状態）とし、使用時は上記の上側筐体と下側筐体を所定角度拡開して下側筐体の内側表面に設けられた各種キーを使用可能とし、かつ、上側筐体の内側表面に設けられた表示部の表示を視認できる開状態とする。
【０００３】
ここで、携帯電話機の使用者（携帯者）は、上記の閉状態及び開状態のいずれの状態にする場合も、上側筐体と下側筐体とをそれぞれ両手で持って閉じたり開いたりする。すなわち、従来の折り畳み型携帯電話機では、通常は携帯者は両手をつかわなければ、上記の閉状態及び開状態のいずれの状態にすることもできず、操作性に難点があった。
【０００４】
そこで、従来より、片手で開閉操作ができるように構成した携帯型無線装置が各種提案されている（例えば、特開２０００−１０２９５３、特開平６−３３８８３７号公報、特開平７−１３１８５０号公報、特開平７−２０２７８７号公報）。上記の特開２０００−１０２９５３には、一対の筐体がそれぞれの基端部側でヒンジ結合されて回動開閉操作可能に構成される折り畳み型携帯無線通信装置において、上記の筐体のいずれか一方の基端部側であって、使用者が一方の筐体を片手で把持しつつ同手の指により回動開閉操作するための操作杆を配置した構成が開示されている。
【０００５】
また、特開平６−３３８８３７号公報には、ケースに操作摘みの手操作により移動できる可動マグネットを設け、その可動マグネットを片手で操作してその長さ方向に移動させることで、可動マグネットと固定マグネットの同極を対峙させ、両マグネット間の斥力を発生させて、この斥力でカバーをケースに対して開動作させ、使用状態とする折り畳み型携帯無線装置が開示されている。
【０００６】
また、特開平７−１３１８５０号公報には、上部筐体と下部筐体のヒンジ機構に両者を開く方向に付勢するコイルバネを設け、また上部筐体と下部筐体を閉じた状態に保持するロック機構を備え、使用時にはロック機構を構成する下部筐体に設けた可動磁石を片手による操作部の操作により移動して、ロック機構を構成する上部筐体に設けた固定磁石との吸引力を弱めることにより、上部筐体と下部筐体とを上記のコイルバネの弾性力によって開いた状態とし、片手での操作を可能とする折り畳み型携帯無線装置が開示されている。
【０００７】
更に、特開平７−２０２７８７号公報には、第１の筐体と第２の筐体とを回動自在に連結するヒンジ部内には、筐体を閉じた状態で第１及び第２の筐体が開く方向の反発力が働くように同極が対向し、開状態では第１及び第２の筐体がその状態を保つような吸引力が働くよう異極が対向するように第１の磁石と第２の磁石をそれぞれ設けると共に、第１の筐体と第２の筐体の各々には第３の磁石と第４の磁石が異極が対向するように内設され、これら第３及び第４の磁石の一方が片手によりスライド可能であり、これによる第１のスライド位置で上記の第１及び第２の磁石間の反発力が第３及び第４の磁石間の吸引力より小さくなることで閉状態となり、第２のスライド位置では上記の第１及び第２の磁石間の反発力が第３及び第４の磁石間の吸引力より大きくなることで開状態とする折り畳み型携帯無線装置が開示されている。
【０００８】
【発明が解決しようとする課題】
しかるに、上記の特開２０００−１０２９５３記載の従来の折り畳み型携帯無線装置は、指により操作杆を操作して回動開閉操作する構造であるため、ヒンジ部の内部に電気配線を通すための空間を作りにくいという問題がある。また、上記の特開平６−３３８８３７号公報記載の従来の折り畳み型携帯無線装置では、開状態は片手による可動マグネットの移動により可能であるが、閉状態にするには両手を使用しなければならない。
【０００９】
また、特開平７−１３１８５０号公報及び特開平７−２０２７８７号公報各記載従来の折り畳み型携帯無線装置は、いずれも２つの筐体の開き角度の調整が片手で行うことができず、また、特開平７−１３１８５０号公報記載の従来装置では、片手で閉状態にすることができないという問題がある。
【００１０】
本発明は以上の点に鑑みなされたもので、片手で開状態及び閉状態のいずれも操作し得る携帯無線装置を提供することを目的とする。
【００１１】
また、本発明の他の目的は、片手で２つの筐体の開き角度を調整し得る携帯無線装置を提供することにある。
【００１２】
【課題を解決するための手段】
本発明は上記の目的を達成するため、上側筐体と下側筐体とをヒンジ部で回動自在に結合した構造であり、不使用時は上側筐体と下側筐体の各内側表面が対向密接する閉状態とし、使用時は上側筐体と下側筐体を離間して下側筐体の内側表面に設けられた各種キーを使用可能とし、かつ、上側筐体の内側表面に設けられた表示部の表示を視認できる開状態とする折り畳み型携帯無線装置において、上側筐体及び下側筐体のいずれか一方に設けられており、第１のネジが螺刻されている回転自在なダイヤルと、ダイヤルの回転方向に応じてヒンジ部方向又はヒンジ部とは反対方向に直線移動し、かつ、ダイヤルの回転量に応じた移動量移動するシャフトを含む直線移動機構と、ヒンジ部内に設けられており、直線移動機構のシャフトがヒンジ部方向に直線移動した時は、回転軸を中心に第１の方向に回動し、シャフトがヒンジ部とは反対方向に直線移動した時は、回転軸を中心に第１の方向とは反対方向である第２の方向に回動し、第１の方向又は第２の方向の回動に伴って上側筐体及び下側筐体の内の一方を、その内側表面が他方の筐体の内側表面と密接する閉状態又は両内側表面が互いに離間する開状態とする回転機構とを有する構成としたものである。
【００１３】
この発明では、ダイヤルを回転することにより、その回転力が直線移動機構のシャフトの直線移動に変換され、更にその直線移動が回転機構に伝達され、直線移動機構のシャフトの移動方向に応じた方向の回動に変換され、その回動に伴って上側筐体及び下側筐体を互いに接近する方向又は互いに離間する方向に回動することができる。また、この発明では、シャフトがダイヤルの回転量に応じた移動量だけ移動し、そのシャフトの移動量に対応した回動角度だけ、上側筐体及び下側筐体が互いに接近する方向又は互いに離間する方向に回動できる。
【００１４】
ここで、上記の直線移動機構は、中空円筒状のダイヤルの内壁の表面に螺刻された第１のネジと、ダイヤルの内径よりも小径で、ダイヤルの中空円筒部に貫通しており、かつ、外周表面に螺刻された第２のネジが第１のネジに螺合するシャフトとからなることを特徴とする。
【００１５】
また、上記の回転機構は、直線移動機構のシャフトの一端に結合されたアームと、上側筐体及び下側筐体のうちダイヤルが設けられていない方の筐体の端部と一体的に移動するように結合されており、アームの移動方向に応じてヒンジ部の回転軸を中心として、ダイヤルが設けられていない方の筐体と共に回動する回転アームとからなることを特徴とする。
【００１６】
また、本発明は上記の目的を達成するため、ダイヤルに対して、ダイヤルが設けられている筐体の外側方向にバネ力を付勢しており、開状態及び閉状態の一方から他方に操作するときには、バネ力に抗してダイヤルをダイヤルが設けられている筐体の内側方向に押すことによりダイヤルと直線移動機構とを機械的接続状態とし、ダイヤルに対する筐体の内側方向への力の付勢を解除したときは、ダイヤルと直線移動機構との機械的接続解除状態に自動復帰させるバネを更に有する構成としたものである。
【００１７】
この発明では、ダイヤルに対する筐体の内側方向への力の付勢を解除したときは、バネによりダイヤルと直線移動機構との機械的接続解除状態とされるため、この状態で下側筐体と上側筐体をそれぞれ両手で持って自由に開閉できる。また、上記のダイヤルは、下側筐体又は上側筐体の一方の側面に設けられていてもよく、また、上記のバネを有する場合は、下側筐体又は上側筐体の両側面に設けられていてもよい。
【００１８】
【発明の実施の形態】
次に、本発明の実施の形態について図面と共に説明する。図１は本発明になる折り畳み型携帯通信装置の一実施の形態の外観斜視図、図２は図１のａ矢視断面図、図３は図１のｂ矢視断面図を示す。各図中、同一構成部分には同一符号を付してある。
【００１９】
本実施の形態は、折り畳み型携帯電話機に適用した例で、図１に示すように、下側筐体１と上側筐体２とがヒンジ部３で回動自在に結合した構造である。下側筐体１の内側表面には電話番号入力のための数字キーなどの各種キー４が設けられ、下側筐体１の側面には外周が露出されているダイヤル５が設けられている。一方、上側筐体２の内側表面には各種の文字、数字、記号を表示する表示部６が設けられ、上部にはアンテナ７が設けられている。なお、図１では図示を省略したが、下側筐体１の内側表面の所定位置には送話用マイクが設けられ、上側筐体２の内側表面の所定位置には受話用スピーカが設けられている。
【００２０】
ダイヤル５は図１のａ矢視断面図である図２に示すように、内周表面に雌ネジ８が螺刻された中空円筒状で回転自在な構成とされており、また、ダイヤル５の内径よりも小径のシャフト９がダイヤル５の中空内部を貫通しており、シャフト９の外周表面に螺刻された雄ネジ１０に、上記の雌ネジ８が螺合可能な構成とされている。また、図１のｂ矢視断面図である図３に示すように、バネ１４によって携帯電話機内部から外部方向にダイヤル５がバネ力を付勢されている。
【００２１】
また、図２に示すように、シャフト９はその一端がヒンジ部３側に回転可能に係止されたアーム１１を有している。そのアーム１１はシャフト９の反対側に係止された回転アーム１２を有している。この回転アーム１２はヒンジ部３の回転軸１３に軸支されており、かつ、回転軸１３と反対側部が上部筐体２に回転可能に係止されている。
【００２２】
次に、本実施の形態の動作について説明する。いま、図１に示すように、下側筐体１と上側筐体２がある角度拡開されており、下側筐体１の内側表面に設けられた各種キー４を使用可能とし、かつ、上側筐体２の内側表面に設けられた表示部６の表示を視認できる開状態にあるものとする。
【００２３】
開状態では、図３に示すように、ダイヤル５の雌ネジ８はシャフト９の外周表面に螺刻された雄ネジ１０と離間した状態となっている。この開状態から閉状態とする場合、使用者はまず、指でダイヤル５を図３に矢印１５で示す方向、すなわち、下側筐体１の内部方向へバネ１４のバネ力に抗して押す。これにより、図４に示すように、ダイヤル５の雌ネジ８の一部がシャフト９の雄ネジ１０に螺合する。
【００２４】
この螺合状態を維持しつつダイヤル５を指で第１の方向に回すと、シャフト９が図５に示すようにヒンジ部３方向に移動し、これにより図２に示したアーム１１が押されることにより、回転アーム１２が回転軸１３を中心として図２中、反時計方向に回動し、この回転アーム１２の回動に伴い上側筐体２も回転アーム１２と一体的に図２中、回転軸１３を中心として反時計方向に回動する。
【００２５】
このため、上側筐体２は下側筐体１方向に回転軸１３を中心として回動して、図６の断面図に示すように、上側筐体２の内側表面が下側筐体１の内側表面と対向密接する閉状態（折り畳み状態）とされる。そして、ダイヤル５を回す指を離すと、バネ１４のバネ力によりダイヤル５が下側筐体１の外方向へ押し出され、ダイヤル５の雌ネジ８がシャフト９の雄ネジ１０と離間した図３に示したような状態に自動復帰する。このようにして、片手でダイヤル５を回すだけで、開状態から閉状態にすることができる。
【００２６】
次に、図６に示した閉状態から図１及び図２に示した開状態にする場合について説明する。閉状態では、図６に示すように、ダイヤル５の雌ネジ８はシャフト９の外周表面に螺刻された雄ネジ１０と離間した状態となっている。この閉状態から開状態とする場合、使用者は先の開状態から閉状態とするときと同様に、まず、指でダイヤル５を図３に矢印１５で示す方向、すなわち、下側筐体１の内部方向へバネ１４のバネ力に抗して押す。これにより、図４に示すように、ダイヤル５の雌ネジ８の一部がシャフト９の雄ネジ１０に螺合する。
【００２７】
この螺合状態を維持しつつダイヤル５を指で先の第１の方向とは反対の第２の方向に回すと、シャフト９が図４の下方向（ヒンジ部３から離れる方向）に移動し、これにより図６に示したアーム１１が引っ張られることにより、回転アーム１２が回転軸１３を中心として図６中、時計方向に回動し、この回転アーム１２の回動に伴い上側筐体２も回転アーム１２と一体的に図６中、回転軸１３を中心として時計方向に回動する。
【００２８】
このため、上側筐体２は下側筐体１から離れる方向に回転軸１３を中心として回動して、図２の断面図に示すように、上側筐体２の内側表面が下側筐体１の内側表面と離間した開状態とされる。そして、ダイヤル５を回す指を離すと、バネ１４のバネ力によりダイヤル５が下側筐体１の外方向へ押し出され、ダイヤル５の雌ネジ８がシャフト９の雄ネジ１０と離間した図３に示したような状態に自動復帰する。このようにして、本実施の形態によれば、片手でダイヤル５を回すだけで、閉状態から開状態にすることもできる。
【００２９】
更に、本実施の形態では、ダイヤル５を第２の方向に回す回数を調整することにより、シャフト９の移動量を調整でき、これにより回転アーム１２の回転角度を調整できるため、下側筐体１と上側筐体２との拡開角度（開き角度）を、使用者の所望の角度に調整することができる。
【００３０】
また、本実施の形態によれば、ダイヤル５を押す前の状態では、ダイヤル５の雌ネジ８とシャフト９の雄ネジ１０とは近接離間した状態となっているので、従来と同様に、両手を使って下側筐体１と上側筐体２とを開閉しても、シャフト９がダイヤル５を回転させることなく、スライドするので、負荷無く開閉することが可能である。
【００３１】
なお、本発明は上記の実施の形態に限定されるものではなく、例えば下側筐体１の図１とは反対側側面（左側側面）にダイヤル５を配置して左手でダイヤル５を操作できるようにしてもよい。また、左右どちらかの側面だけでなく、両側面にダイヤル５を設けてもよく、この場合、一方のダイヤルが図３の状態であり、他方のダイヤルが図４の状態であれば、問題なく所期の動作を行うことができる。また、ダイヤルは上側筐体２の側面に設けることも可能である。更に、本発明は折り畳み型携帯電話機以外の折り畳み型通信機にも適用可能である。
【００３２】
【発明の効果】
以上説明したように、本発明によれば、ダイヤルを回転することにより、その回転方向に応じて上側筐体及び下側筐体を互いに接近する方向又は互いに離間する方向に回動できるようにしたため、ダイヤルを片手で回転操作することにより、開状態及び閉状態のいずれにもすることができる。
【００３３】
また、本発明によれば、ダイヤルの回転量に応じた量だけシャフトの移動量を調整でき、これにより下側筐体と上側筐体との拡開角度（開き角度）を調整できるため、ダイヤルの片手操作により上記の開き角度を使用者の所望の角度に調整することができる。
【図面の簡単な説明】
【図１】本発明の一実施の形態の開状態のときの外観斜視図である。
【図２】図１のａ矢視図である。
【図３】図１のｂ矢視図である。
【図４】ダイヤルを押したときの本発明の一実施の形態の要部の断面図である。
【図５】ダイヤルを押しつつ回転したときの本発明の一実施の形態の要部の断面図である。
【図６】本発明の一実施の形態の閉状態のときの断面図である。
【符号の説明】
１  下側筐体
２  上側筐体
３  ヒンジ部
５  ダイヤル
６  表示部
８  雌ネジ
９  シャフト
１０  雄ネジ
１１  アーム
１２  回転アーム
１３  回転軸
１４  バネ
【図１】
0003699020.tif 000002
【図２】
0003699020.tif 000003
【図３】
0003699020.tif 000004
【図４】
0003699020.tif 000005
【図５】
0003699020.tif 000006
【図６】
0003699020.tif 000007